(57)【要約】      （修正有）【課題】屋根とソーラーパネル外周部との間の間隙部に防護用ネットを強固に保持でき、ソーラーパネルのメーカーや、屋根の種類や仕様を問わずに防護用ネットを保持できるソーラーパネル設備屋根用鳥進入防止器具を提供する。【解決手段】屋根１とソーラーパネル２外周部との間隙部４に折曲変形させて挿入することで復帰弾性により屋根１とソーラーパネル２外周部に圧接する防護用ネット５と、間隙部４に挿入した防護用ネット５とソーラーパネル２外周部とに係止して防護用ネット５を間隙部４から外れ止め状態に保持するネット保持具７とから成り、ネット保持具７は、保持具本体８に、ソーラーパネル２外周部に締付挟持係止する締付部９が設けられ、締付部９の下方に、防護用ネット５の網目６に差込係止する差込部13が設けられている。【選択図】図３
2020097835.tif 000002
【特許請求の範囲】
【請求項１】
屋根とこの屋根上に設備されているソーラーパネルとの間の間隙部に、鳥や雪などの有害要因が侵入することを防止するために設置するソーラーパネル設備屋根用鳥侵入防止器具であって、屋根とソーラーパネルの外周部との間の前記間隙部に折曲変形させて挿入することで変形に抗する復帰弾性により屋根とソーラーパネルの外周部に圧接する防護用ネットと、前記間隙部に挿入した前記防護用ネットとソーラーパネルの外周部とに係止して防護用ネットを間隙部から外れ止め状態に保持するネット保持具とから成り、前記ネット保持具は、保持具本体に、前記ソーラーパネルの外周部に締付挟持係止する締付部が設けられていると共に、この締付部の下方に、前記防護用ネットの網目に差込係止する差込部が設けられていることを特徴とするソーラーパネル設備屋根用鳥侵入防止器具。
【請求項２】
前記ネット保持具は、前記保持具本体に対し前記差込部がスライド移動自在に設けられていて、この差込部と、保持具本体に設けられている前記締付部との位置関係をスライド変更可能に構成されていることを特徴とする請求項１記載のソーラーパネル設備屋根用鳥侵入防止器具。
【請求項３】
前記ネット保持具の締付部は、ソーラーパネル外周部の金属フレーム部に対し上下から挟持する上顎と下顎を備えていると共に、操作部を備えて、この操作部の締付操作により上顎が対向する下顎に接近移動若しくは下顎が対向する上顎に接近移動することで前記金属フレーム部に挟持係止し得るように構成されていることを特徴とする請求項１，２のいずれか１項に記載のソーラーパネル設備屋根用鳥侵入防止器具。
【請求項４】
前記ネット保持具の差込部は、櫛歯状に形成されていて、前記防護用ネットの複数の網目に差込係止し得るように構成されていることを特徴とする請求項１〜３のいずれか１項に記載のソーラーパネル設備屋根用鳥侵入防止器具。
【発明の詳細な説明】
【技術分野】
【０００１】
本発明は、屋根とソーラーパネルの間に存する間隙部に、鳥や雪などの有害要因が入り込むことを防止できるソーラーパネル設備屋根用鳥侵入防止器具に関するものである。
【背景技術】
【０００２】
ソーラーパネル設備屋根は、ソーラーパネル下の間隙部に鳥が侵入して巣を作ってしまうことがあり、鳥の巣ができてしまうと獣臭がしたり糞で汚れたりして不衛生となり、場合によってはソーラーパネルの電気的設備状況にも不具合を生じることがある。
【０００３】
また、降雪地域では、ソーラーパネル下の間隙部に雪が入り込むことがあるが、この間隙部に雪が長期間停留して取付金具や支持架台に接触し続けると、取付金具や支持架台に腐食を生じるおそれがある。
【０００４】
そこで出願人は、屋根とソーラーパネルの間の間隙部に、鳥や雪などの有害要因が入り込むことを防止するソーラーパネル設備屋根への防護用ネット設置方法を完成させて特許出願している（特許文献１参照）。
【先行技術文献】
【特許文献】
【０００５】
【特許文献１】特開２０１８−１０５００２号公報
【発明の概要】
【発明が解決しようとする課題】
【０００６】
上記特許文献１では、折曲変形自在で折曲変形した際に復帰弾性が生じる防護用ネットを折曲変形して屋根とソーラーパネル外周部との間の前記間隙部に挿入し、この折曲変形状態の防護用ネットを復帰弾性により屋根とソーラーパネル外周部に圧接させて前記間隙部に保持している（出願人の施工実験によれば、防護用ネットの復帰弾性を利用した圧接保持作用だけでもしっかりと防護用ネットは位置決め状態に保持されることが確認されている。）。
【０００７】
しかしながら、近年はこれまでにない巨大台風が発生するなど、異常気象が増加傾向にあるため、上記圧接保持作用だけでは防護用ネットの保持力が不足するケースも懸念される。
【０００８】
本発明は、このような現状に鑑み、屋根とソーラーパネル外周部との間の間隙部に挿入した防護用ネットを強固な外れ止め（位置決め）状態に保持でき、しかもソーラーパネルのメーカーや、屋根の種類や仕様を問わずに防護用ネットを保持可能となるソーラーパネル設備屋根用鳥進入防止器具を提供するものである。
【課題を解決するための手段】
【０００９】
添付図面を参照して本発明の要旨を説明する。
【００１０】
屋根１とこの屋根１上に設備されているソーラーパネル２との間の間隙部４に、鳥や雪などの有害要因が侵入することを防止するために設置するソーラーパネル設備屋根用鳥侵入防止器具であって、屋根１とソーラーパネル２の外周部との間の前記間隙部４に折曲変形させて挿入することで変形に抗する復帰弾性により屋根１とソーラーパネル２の外周部に圧接する防護用ネット５と、前記間隙部４に挿入した前記防護用ネット５とソーラーパネル２の外周部とに係止して防護用ネット５を間隙部４から外れ止め状態に保持するネット保持具７とから成り、前記ネット保持具７は、保持具本体８に、前記ソーラーパネル２の外周部に締付挟持係止する締付部９が設けられていると共に、この締付部９の下方に、前記防護用ネット５の網目６に差込係止する差込部13が設けられていることを特徴とするソーラーパネル設備屋根用鳥侵入防止器具に係るものである。
【００１１】
また、前記ネット保持具７は、前記保持具本体８に対し前記差込部13がスライド移動自在に設けられていて、この差込部13と、保持具本体８に設けられている前記締付部９との位置関係をスライド変更可能に構成されていることを特徴とする請求項１記載のソーラーパネル設備屋根用鳥侵入防止器具に係るものである。
【００１２】
また、前記ネット保持具７の締付部９は、ソーラーパネル２外周部の金属フレーム部３に対し上下から挟持する上顎10と下顎11を備えていると共に、操作部12を備えて、この操作部12の締付操作により上顎10が対向する下顎11に接近移動若しくは下顎11が対向する上顎10に接近移動することで前記金属フレーム部３に挟持係止し得るように構成されていることを特徴とする請求項１，２のいずれか１項に記載のソーラーパネル設備屋根用鳥侵入防止器具に係るものである。
【００１３】
また、前記ネット保持具７の差込部13は、櫛歯状に形成されていて、前記防護用ネット５の複数の網目６に差込係止し得るように構成されていることを特徴とする請求項１〜３のいずれか１項に記載のソーラーパネル設備屋根用鳥侵入防止器具に係るものである。
【発明の効果】
【００１４】
本発明は上述のように構成したから、上記特許文献１と同様に、屋根とソーラーパネルの外周部との間の間隙部に防護用ネットを折曲変形させて挿入することによって間隙部に防護用ネットを圧接保持できるが、さらにネット保持具の締付部をソーラーパネルの外周部に締付挟持係止すると共に、間隙部に圧接保持されている防護用ネットの網目にネット保持具の差込部を差込係止することによって防護用ネットを間隙部から強固な外れ止め状態に保持することができ、しかも本発明のネット保持具は、ソーラーパネルの外周部に締付部で締付挟持係止するので、メーカーを問わずソーラーパネル外周部に対しネット保持具を無加工で係止できる上、屋根に防護用ネットを係止保持する構成とは異なり、屋根の種類や仕様にかかわらず防護用ネットを外れ止め状態に保持することが可能で汎用性が高いなど、極めて実用性に優れたソーラーパネル設備屋根用鳥侵入防止器具となる。
【００１５】
また、請求項２記載の発明においては、ソーラーパネルの屋根への設備状況等により屋根とソーラーパネルの外周部との間の間隙部の上下幅は現場によって異なるが、どのような現場においても締付部と差込部との位置関係をスライド変更してネット保持具をソーラーパネル外周部と防護用ネットに良好に係止でき、防護用ネットを間隙部から確固な外れ止め状態に保持できる一層実用性に優れた構成のソーラーパネル設備屋根用鳥侵入防止器具となる。
【００１６】
また、請求項３記載の発明においては、ソーラーパネルの外周部に締付挟持係止可能な締付部を簡易構成にして容易に設計実現可能となると共に、締付部がソーラーパネル外周部の金属フレーム部に対して挟持係止するので、受光面を塞ぐように挟持係止して発電効率の低下を招いたり受光面を損傷したりするような不都合がないなど、一層実用性に優れた構成のソーラーパネル設備屋根用鳥侵入防止器具となる。
【００１７】
また、請求項４記載の発明においては、防護用ネットの複数の網目に櫛歯状の差込部を差込係止できて確固に防護用ネットを外れ止め保持できる一層実用性に優れた構成のソーラーパネル設備屋根用鳥侵入防止器具となる。
【図面の簡単な説明】
【００１８】
【図１】本実施例の使用状態を示す概略説明斜視図である。
【図２】本実施例の使用状態を示す拡大斜視図である。
【図３】本実施例の使用状態を示す、ソーラーパネルの金属フレーム部と防護用ネットを切り欠いた拡大側面図である。
【図４】本実施例のネット保持具を示す斜視図である。
【図５】本実施例のネット保持具を示す側断面図である。
【発明を実施するための形態】
【００１９】
好適と考える本発明の実施形態を、図面に基づいて本発明の作用を示して簡単に説明する。
【００２０】
例えば、先ず、防護用ネット５を折曲変形して、この折曲変形状態の防護用ネット５を屋根１とソーラーパネル２の外周部との間の間隙部４に挿入し、この折曲変形状態の防護用ネット５を、復帰弾性により屋根１とソーラーパネル２の外周部に圧接させて前記間隙部４に保持する。
【００２１】
次いで、ネット保持具７に設けられている締付部９をソーラーパネル２の外周部に締付挟持係止すると共に、この締付部９の下方に設けられている差込部13を、前記間隙部４に保持されている折曲変形状態の防護用ネット５の網目６に差込係止すると、前記防護用ネット５が間隙部４から強固な外れ止め状態に保持されることになる。
【００２２】
また、この際、締付部９によってソーラーパネル２外周部に締付挟持係止するネット保持具７は、ソーラーパネル２のメーカーを問わずにソーラーパネル２外周部に対しネット保持具７を無加工で係止できる。
【００２３】
さらに、ネット保持具７を介してソーラーパネル２の外周部に対し防護用ネット５を係止保持する本発明は、屋根１に対して防護用ネット５を係止保持する構成とは異なり、屋根１の種類や仕様にかかわらず防護用ネット５を外れ止め状態に保持することが可能である。
【実施例】
【００２４】
本発明の具体的な実施例について図面に基づいて説明する。
【００２５】
本実施例は、屋根１とこの屋根１上に設備されているソーラーパネル２との間の間隙部４に、鳥や雪などの有害要因が侵入することを防止するために設置するソーラーパネル設備屋根用鳥侵入防止器具であって、屋根１とソーラーパネル２の外周部との間の前記間隙部４に折曲変形させて挿入することで変形に抗する復帰弾性により屋根１とソーラーパネル２の外周部に圧接する防護用ネット５と、前記間隙部４に挿入した前記防護用ネット５とソーラーパネル２の外周部とに係止して防護用ネット５を間隙部４から外れ止め状態に保持するネット保持具７とから構成されている。
【００２６】
本実施例の防護用ネット５は、常態が略平板状を呈し折曲変形自在で折曲変形した際に復帰弾性が生じる（折曲変形したままにならず適度な保形強度を有する）耐候性に優れた合成樹脂製のネットであって、鳥や雪の侵入に対して有効な防護性能を発揮する大きさ（ピッチ）の網目６を具備するものが採用されている。尚、天然樹脂製の防護用ネット５が採用されても良い。
【００２７】
この防護用ネット５としては、例えば、市販の「トリカルネット（登録商標）」が好適であり、これを設置対象のソーラーパネル２のサイズに応じた大きさや施工し易い大きさに切り分けて使用することが好ましい。
【００２８】
本実施例では、例えば、長方形状に切断形成したこの防護用ネット５を折曲変形して、この折曲変形状態の防護用ネット５を屋根１とソーラーパネル２外周部との間の前記間隙部４に挿入し、この折曲変形状態の防護用ネット５を、復帰弾性により屋根１とソーラーパネル２外周部に圧接させて、この防護用ネット５をソーラーパネル２外周部に沿って（ソーラーパネル２の外周部全周若しくは複数並設状態に設備されたソーラーパネル２群の外周部全周を囲うようにして）前記間隙部４に保持している（図１参照）。
【００２９】
具体的には、防護用ネット５を、その対向短方向縁がＵ字状となるように折曲変形させて横長のＵ字状体とし、このＵ字状防護用ネット５を屋根１とソーラーパネル２外周部との間の前記間隙部４に挿入する（図２，図３参照）。
【００３０】
そして、このＵ字状防護用ネット５の変形状態を解除し、形状復帰弾性によりこの防護
用ネット５の短手方向の両端を屋根１上面とソーラーパネル２の外周部下面とに圧接させて、この圧接摩擦力により防護用ネット５をソーラーパネル２外周部に沿って前記間隙部４に位置決め保持している。
【００３１】
また、Ｕ字状に変形させた防護用ネット５は、その折り返し部14側を前記ソーラーパネル２に対し外方に向けた状態にして前記間隙部４に挿入し、この折り返し部14がソーラーパネル２外周部より外方へやや突出する状態で防護用ネット５を前記間隙部４に保持している（図３参照）。尚、折り返し部14をソーラーパネル２外周部と面一状態にして防護用ネット５を前記間隙部４に保持することとしても良い。
【００３２】
尚、防護用ネット４の折曲変形は、本実施例で示したＵ字状に限らず、例えば丸め（円筒状などに折曲）たり、ジグザグ状に折曲したりしても良く、この折曲変形時の形状復帰弾性により防護用ネット４の適所を屋根１とソーラーパネル２外周部に圧接させて防護用ネット４を前記間隙部３に位置決め保持する。
【００３３】
また、請求項１中の「ソーラーパネルの外周部」なる記載は、一枚のソーラーパネル２の外周部という意味だけではなく、複数並べて設置されているソーラーパネル２群の外周部をも含む意味合いで用いている。
【００３４】
本実施例のネット保持具７は、保持具本体８に、前記ソーラーパネル２の外周部に締付挟持係止する締付部９が設けられていると共に、この締付部９の下方に、前記防護用ネット５の網目６に差込係止する差込部13が設けられている。
【００３５】
具体的には、保持具本体８は、正面視で上下方向に長さを有する金属製の帯板材で構成されていると共に、この帯板材の上部がそれより下側の部位に対し直角に折曲されて側面視で逆Ｌ字状を呈する形状に形成されている（図２〜図５参照）。以下、本実施例では、この上部横板部の突出方向側を、説明の都合上保持具本体８の前側と定めて説明する。
【００３６】
また、この保持具本体８は、少なくとも左右両側縁部が前方へ直角に折曲されて、この左右の折曲片15が後述するスライド体17の昇降スライド移動をガイドするガイド片15として機能するように構成されている。
【００３７】
この保持具本体８の前側に前記締付部９が設けられ、この締付部９は、ネット保持具７をソーラーパネル２外周部の金属フレーム部３に外方から沿わせた際に、この金属フレーム部３を上下から挟持する上顎10と下顎11を備えていると共に、操作部12を備えて、この操作部12の締付操作により下顎11が対向する上顎10に接近移動することで前記金属フレーム部３に挟持係止し得るように構成されている。
【００３８】
さらに詳しくは、保持具本体８の上部横板部の突出先端側の下面に横長帯板状のクッション材16（例えば防振ゴム製等）が付設されて、この上部横板部のクッション材16付下面が、前記上顎10として構成されている。
【００３９】
また、この上顎10の下方たる保持具本体８の前側面の下方に、前記下顎11を備えたスライド体17が付設されている。
【００４０】
このスライド体17は、保持具本体８よりも短い上下長を有する金属製の帯板材で構成されていると共に、帯板材の上部がそれより下側の部位に対し直角前方に折曲されて側面視で逆Ｌ字状を呈する形状に形成されており、このスライド体17の上側横板部の突出先端側上面（前記上顎11と対向する上面）に横長帯板状のクッション材16が付設されて、この上側横板部のクッション材16付上面が、前記下顎11として構成されている。即ち、下顎11が、前記上顎10と上下対向状態に配設されている。
【００４１】
また、このスライド体17は、保持具本体８を前後方向に貫通する取付具19としてのリベット19によって保持具本体８に付設されている。
【００４２】
さらに詳しくは、スライド体17の下側縦板部にガイド孔18が貫通形成され、このガイド孔18に前記リベット19が通されることによってスライド体17が保持具本体８に抜止状態に付設されていると共に、このガイド孔18は、上下方向に長さを有する長孔に形成されていて、このガイド孔18がリベット19に対して移動可能な範囲内で保持具本体８に対しスライド体17が昇降スライド移動可能となるように構成されている。
【００４３】
また、スライド体17は、左右幅寸法が保持具本体８の左右幅寸法よりやや小さく設定されており、これにより保持具本体８に対する昇降スライド移動が、前記左右のガイド片15にガイドされてスムーズに行われるように構成されている。
【００４４】
また、保持具本体８の上部横板部にボルト通し孔20が貫通形成されていると共に、このボルト通し孔20と位置を対応させてスライド体17の上側横板部に雌螺子孔21が貫通形成され、前記ボルト通し孔20に上方から挿通した六角ボルト22のボルト先端が前記雌螺子孔21に螺着されている。そして、六角ボルト22の頭部12を回動操作すると、六角ボルト22に対する雌螺子孔21の回動螺動によりスライド体17が保持具本体８に対して昇降スライド移動するように構成され、下顎11が対向する上顎10に接近移動するように頭部21を回動操作することで、ソーラーパネル２の金属フレーム部３を上顎10と下顎11で締付挟持係止し得るように構成されている。即ち、本実施例では、前記六角ボルト22の頭部12が、前記操作部12として機能するように構成されており、この締付挟持係止構造により、メーカーを問わず如何なるサイズのソーラーパネル２に対してもその金属フレーム部３に締付挟持係止できるように構成されている。尚、図示していないが、上顎10側が保持具本体８に対し昇降スライド移動可能に設けられて、この上顎10が対向する下顎11に接近移動する構成が採用されていても良い。
【００４５】
このネット保持具７は、保持具本体８の前側をソーラーパネル２の金属フレーム部３の外側面に沿わせてからこの金属フレーム部３を上顎10と下顎11で締付挟持係止するが、この際に保持具本体８（の前側面）をソーラーパネル２の外周部の金属フレーム部３の外側面から離間させるスペーサ部23が上顎10と下顎11の間の保持具本体８の前側面に付設されている。即ち、このスペーサ部23が金属フレーム部３の外側面に当接すると、上顎10と下顎11が確実に金属フレーム部３の上下に配設されるように構成されており、上顎11がソーラーパネル２の受光面に接して挟持することなく、その外側に存する金属フレーム部３だけを確実に挟持し得るように構成されている。図中符号26はスペーサ部23を保持具本体８に固定するための固定具（リベット）である。
【００４６】
また、スライド体17と保持具本体８との間に、スライド体17より長く保持具本体８より短い上下長を有する金属製の帯板材で構成されているスライド板24が重合配設されており、このスライド板24の下部に前記差込部13が設けられている。
【００４７】
また、このスライド板24は、前記リベット19によってスライド体17と共に保持具本体８に付設されており、さらにこのリベット19が貫通する取付孔25は、上下方向に長さを有する長孔に形成されていて、この取付孔25がリベット19に対して移動可能な範囲内で保持具本体８に対しスライド板24がスライド体17とは別に昇降スライド移動可能となるように構成されている。
【００４８】
また、このスライド板24は、前記スライド体17と同等の左右幅寸法を有するように設定されていて、保持具本体８に対する昇降スライド移動が、スライド体17同様前記左右のガイド片15にガイドされてスムーズに行われるように構成されている。
【００４９】
また、このスライド板24の下部は、図２〜図５に示すように、側面視で略Ｊ字状に折曲形成されており、さらに上方に向かって突出するその折曲先端が櫛歯状（熊手状）に切欠形成されていると共に、この複数（図面は五個）の櫛歯状先端が前記防護用ネット５の網目６の並設間隔と同等の並設間隔で横方向に並設するように切欠形成されて、この複数の櫛歯状先端が、防護用ネット５の複数の網目６に同時に差込係止される前記差込部13として構成されている。
【００５０】
即ち、本実施例の差込部13（を備えたスライド板24）は、前記保持具本体８に対し昇降スライド移動自在に設けられていて、この差込部13と、保持具本体８上部に設けられている前記締付部９との間隔を広狭調整可能（差込部13と締付部９の位置関係をスライド変更可能）に構成されている。従って、屋根１とソーラーパネル２の外周部との間の間隙部４の上下幅は現場によって異なるが、どのような現場においても締付部９と差込部13との間隔を広狭調整して差込部13を防護用ネット５の網目６に対して良好に差込係止でき、防護用ネット５を間隙部４から確固な外れ止め状態に保持できるように構成されている。
【００５１】
また、差込部13より下方に存するスライド板24の下端が平坦面に形成されて、この下端の平坦面が屋根１上面に面接地可能な接地部27として構成されている。
【００５２】
次に、本実施例の使用方法（ソーラーパネル２設備屋根１への設置方法）を説明する。
【００５３】
例えば、先ず、屋根１と複数のソーラーパネル２群の屋根勾配下方側外周部との間の間隙部４に、Ｕ字状に折曲変形させた防護用ネット５を横設状態で挿入配設し、この折曲変形状態の防護用ネット５を、復帰弾性により屋根１とソーラーパネル２の外周部に圧接させて前記間隙部４に保持する。
【００５４】
上記と同様の手法にて、屋根１と複数のソーラーパネル２群の屋根勾配上方側外周部との間の間隙部４にも、Ｕ字状に折曲変形させた防護用ネット５を横設状態に挿入配設して圧接位置決め保持する。
【００５５】
次いで、屋根１と複数のソーラーパネル２群の両脇外周部との間の間隙部４に、Ｕ字状に折曲変形させた防護用ネット５を縦設状態で挿入配設して圧接位置決め保持する。
【００５６】
次いで、間隙部４に挿入した各防護用ネット５の折り返し部14の網目６に、ネット保持具７の下部に設けられている差込部13を差込係止し、その後ネット保持具７の上部に設けられている締付部９を操作部12の操作によりソーラーパネル２の外周部に締付挟持係止すると、前記防護用ネット５が間隙部４から外れ止め状態に保持されることになる。
【００５７】
また、この際、保持具本体８に対して昇降スライド移動自在なスライド板24は、その下端の接地部27が屋根１上面に接地した状態となるが、この接地状態で差込部13が網目６から抜けないように差込部13を差込む網目６を選択する（折り返し部14の下側に存する網目６を選択して差込部13を差込む。）。
【００５８】
尚、図面は、ソーラーパネル２の外周部の一辺につき一箇所ずつネット保持具７を配設した場合を示しているが、これに限られるものではない。
【００５９】
また、詳しく図示していないが、縦設状態に配設する防護用ネット５の長手方向の両端部分を、ソーラーパネル２の角隅部分の下方で横設状態に設置保持された前記防護用ネット５の長手方向の両端部分と重合させ、この重合する縦・横双方の防護用ネット５の両端の網目６に図示省略の結束バンドを挿通して結束することにより、縦・横の防護用ネット５同士を接続している。
【００６０】
本実施例のソーラーパネル２に対する防護用ネット５の設置順序は、上記に限らず順不同である。
【００６１】
尚、本発明は、本実施例に限られるものではなく、各構成要件の具体的構成は適宜設計し得るものである。
【符号の説明】
【００６２】
１  屋根
２  ソーラーパネル
３  金属フレーム部
４  間隙部
５  防護用ネット
６  網目
７  ネット保持具
８  保持具本体
９  締付部
10  上顎
11  下顎
12  操作部
13  差込部
【図１】
2020097835.tif 000003
【図２】
2020097835.tif 000004
【図３】
2020097835.tif 000005
【図４】
2020097835.tif 000006
【図５】
2020097835.tif 000007